【事件の表示】
　特許第３２５０２３０号「苗植機」の請求項１に係る特許に対する特許異議の申立てについて、次のとおり決定する。
【結　論】
　訂正を認める。
　特許第３２５０２３０号の請求項１に係る特許を維持する。
【理　由】
一、手続の経緯
　本件特許第３２５０２３０号の発明は、平成３年４月９日に出願された特願平３−７６１９７号に係り、平成１３年１１月１６日に設定登録され、この特許に対し、特許異議申立人新穂友志（以下、「申立人」という。）より特許異議の申立てがなされ、当審において取消理由を通知したところ、その指定期間内の平成１４年１２月９日に訂正請求がなされたものである。
　
二、訂正の適否についての判断
１．訂正の内容
　特許権者は、特許明細書を次のように訂正しようとするものである。
［訂正事項ａ］：特許明細書の特許請求の範囲の
　「【請求項１】苗植付装置に供給する苗を前後に傾斜した状態で受ける底板３２を有する苗タンク７を備えて苗植機体９に対しその上方で横方向に往復移動する苗供給装置を備えた苗植装置８を設けた苗植機において、苗植機体９に対して横方向に往復移動する苗供給装置の前記底板３２を含む一部を着脱自在に設け、該着脱可能な苗供給装置の一部とそれが取り外された後に残る部分の苗供給装置との両者に、前者の部分が後者の部分に対して位置決めされて取付けられるようにする位置決め手段２５，２６と、前者の部分を後者の部分に固定及び固定解除する固定手段２７，２８とを設けたことを特徴とする苗植機。」
の記載を、
　「【請求項１】苗植付装置に供給する苗を前後に傾斜した状態で受ける底板３２を有する苗タンク７を備えて苗植機体９に対しその上方で横方向に往復移動する苗供給装置を備えた苗植装置８を設けた苗植機において、苗植機体９に対して横方向に往復移動する苗供給装置の前記底板３２を含む一部を着脱自在に設け、該着脱可能な苗供給装置の一部とそれが取り外された後に残る部分の苗供給装置との両者に、前者の部分が後者の部分に対して位置決めされて取付けられるようにする位置決め手段２５，２６と、前者の部分を後者の部分に固定及び固定解除する固定手段２７，２８とを設け
ると共に、該位置決め手段２５，２６を苗供給装置側面視で搬送装置３の繰出ベルト１５を上下方向で挟むように該繰出ベルト１５の上方位置と下方位置とに設け
と訂正する。
　
［訂正事項ｂ］：特許明細書の段落番号【０００４】の
　「【課題を解決するための手段】この発明は、上記課題を解決するために、苗植付装置に供給する苗を前後に傾斜した状態で受ける底板３２を有する苗タンク７を備えて苗植機体９に対しその上方で横方向に往復移動する苗供給装置を備えた苗植装置８を設けた苗植機において、苗植機体９に対して横方向に往復移動する苗供給装置の前記底板３２を含む一部を着脱自在に設け、該着脱可能な苗供給装置の一部とそれが取り外された後に残る部分の苗供給装置との両者に、前者の部分が後者の部分に対して位置決めされて取付けられるようにする位置決め手段２５，２６と、前者の部分を後者の部分に固定及び固定解除する固定手段２７，２８とを設けたことを特徴とする苗植機としたものである。」
の記載を、
　「【課題を解決するための手段】この発明は、上記課題を解決するために、苗植付装置に供給する苗を前後に傾斜した状態で受ける底板３２を有する苗タンク７を備えて苗植機体９に対しその上方で横方向に往復移動する苗供給装置を備えた苗植装置８を設けた苗植機において、苗植機体９に対して横方向に往復移動する苗供給装置の前記底板３２を含む一部を着脱自在に設け、該着脱可能な苗供給装置の一部とそれが取り外された後に残る部分の苗供給装置との両者に、前者の部分が後者の部分に対して位置決めされて取付けられるようにする位置決め手段２５，２６と、前者の部分を後者の部分に固定及び固定解除する固定手段２７，２８とを設け
ると共に、該位置決め手段２５，２６を苗供給装置側面視で搬送装置３の繰出ベルト１５を上下方向で挟むように該繰出ベルト１５の上方位置と下方位置とに設け
と訂正する。
　
２．訂正の目的の適否、新規事項の有無及び拡張・変更の存否
　［訂正事項ａ］の訂正は、特許請求の範囲の減縮を目的とするものに該当する。また、［訂正事項ｂ］の訂正は、発明の詳細な説明の記載を訂正後の特許請求の範囲の記載と整合させるためのものであるから、上記［訂正事項ｂ］の訂正は、明りょうでない記載の釈明を目的とするものに該当する。
　そして、これらの訂正は、願書に添付した明細書、又は図面に記載された事項の範囲内において訂正するものであって新規事項を追加するものでなく、かつ、実質上特許請求の範囲を拡張、又は変更するものではない。
　
３．むすび
　以上のとおりであるから、上記訂正請求は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書き及び第２項の訂正に関する規定に適合するので、当該訂正を認める。
　
三、特許異議申立てについて
１．特許異議申立理由の概要
　申立人は、下記の証拠方法を提示し、本件の特許請求の範囲の請求項１に係る発明（以下、「本件発明」という。）は、下記の甲第１号証又は甲第２号証に記載された発明であり、本件発明の特許は、特許法第２９条第１項第３号の規定に該当する発明に対してなされたものであるから、取り消されるべきであると主張している。
　　　　　　　　　　　　　　　　　記
　甲第１号証：実公昭５７−２６５６７号公報
　甲第２号証：実願昭５５−１７６２６１号（実開昭５７−９８７１８号公報）のマイクロフィルム
　　
２．当審の判断
（１）本件発明
　本件発明は、訂正明細書の特許請求の範囲の請求項１に記載された次のとおりのものである。
　「【請求項１】苗植付装置に供給する苗を前後に傾斜した状態で受ける底板３２を有する苗タンク７を備えて苗植機体９に対しその上方で横方向に往復移動する苗供給装置を備えた苗植装置８を設けた苗植機において、苗植機体９に対して横方向に往復移動する苗供給装置の前記底板３２を含む一部を着脱自在に設け、該着脱可能な苗供給装置の一部とそれが取り外された後に残る部分の苗供給装置との両者に、前者の部分が後者の部分に対して位置決めされて取付けられるようにする位置決め手段２５，２６と、前者の部分を後者の部分に固定及び固定解除する固定手段２７，２８とを設けると共に、該位置決め手段２５，２６を苗供給装置側面視で搬送装置３の繰出ベルト１５を上下方向で挟むように該繰出ベルト１５の上方位置と下方位置とに設けたことを特徴とする苗植機。」
　
（２）甲第１号証及び甲第２号証の記載事項
・
甲第１号証
　「すなわち、下端を摺動案内枠５に受止め支持された状態で横方向に一定ストロークで往復移動する傾斜姿勢の苗のせ台６が装備されるとともに、前記苗のせ台６の下端と泥中とに亘って上下に循環作動する６つの植付爪７……が横方向一定間隔おきに並置され、更に、前記苗のせ台６がストローク端部に達する毎に、間歇的に往復回転する軸８に固着されて、前記苗のせ台６に載置された苗群を下方に係止移行させる複数の揺動縦送り爪９……が、苗のせ台６の背部に配備されている。」（２頁３欄１４行〜２３行）
　「すなわち、中央部の苗収容部６ａ……の背部に、補強枠を兼ねて上下一対のフレーム１０，１０が固着され、端部の苗収容部６ｂの背部にも、前記フレーム１０，１０と同様なフレーム１１，１１が固着されるとともに、フレーム１１，１１の端部に固着した角軸状突起１１ａ，１１ａが、前記フレーム１０，１０の端部に抜き取り自在に挿入されるべく構成されている。又、挿入した状態において、フレーム１０，１０とフレーム１１，１１とを係止連結固定する係止連結具１２，１２が配備されている。従って、端部の苗収容部６ｂは、通常時には中央部の苗収容部６ａ……と−体的に組付けられるとともに、機体を運搬車に積載する時や倉庫内へ格納する時等において、必要に応じて取外されることになる。」（２頁４欄３行〜１８行）
　そうしてみると、上記甲第１号証には、植付爪７に供給する苗を前後に傾斜した姿勢で受止め、機体に対しその上方で横方向に往復移動する苗のせ台６を備えた苗植付装置を有する田植機において、機体に対して横方向に往復移動する端部苗収容部６ｂを着脱自在に設け、該着脱可能な端部苗収容部６ｂと中央部苗収容部６ａとの両者に、着脱可能な端部苗収容部６ｂが中央部苗収容部６ａに対し位置決めするための、中央部側フレーム１０及び端部側フレーム１１の角軸状突起１１ａとからなる位置決め手段と、両者を係止連結固定及び固定解除する係止連結具１２とを設けた田植機、の発明が記載されているといえる。
　
・
甲第２号証
　「苗載台（８）は６条植えであるので６枚の苗マットが載置可能に構成されており、最も外側の条の苗載台（８ａ）（８ａ）を抜き差しして取り付け取り外し自在としている。」（明細書３頁７行〜１０行）
　「本件考案では苗載台支持レール（１５）の内側の角孔（１５ｂ）内に角部材（２３）を挿入し、固定側の苗載台支持レールの角孔（１５ｂ）まで挿通した状態で蝶ボルト（２７）で先端部を固定側に固定する。そして角部材の他端には長尺ボルト（２４）を固設し該長尺ボルト（２４）に当板（２５）を当てて蝶ナット（２６）にて苗載台支持レールの最外端に締め付けることによって締結している。締結の際インロー部を設け、かつそのインロー部をロックしてネジで締めつける為締結部でのガタが少くなったのである。」（明細書５頁１２行〜６頁１行）
　
（３）比較・対比
（ａ）甲第１号証に対して
　本件発明と、当審が通知した取消理由に引用刊行物１として引用した甲第１号証に記載の発明（これを、以下「引用発明１」という。）とを比較・対比すると、引用発明１の「植付爪７」「苗のせ台６」「機体」「苗のせ台６、植付爪７を含む苗植付装置」「中央部苗収容部側のフレーム１０及び端部苗収容部側のフレーム１１端部の角軸状突起１１ａ」「係止連結具１２」が、本件発明の「苗植付装置」「苗タンク７」「苗植機体９」「苗植装置８」「位置決め手段２５，２６」「固定手段２７，２８」にそれぞれ相当する。
　そして、甲第１号証の第２図に示されている端部の苗収容部６ｂが中央部の苗収容部６ａに連結するときは、中央部の苗収容部６ａの上下のフレーム１０の内穴に端部の苗収容部６ｂ側のフレーム１１の端部の角軸状突起１１ａを挿入して第３図右端の苗収容部の仕切り壁とその中央寄りの中央苗収容部の仕切り壁とを当接した状態（位置決めされた状態）で係止連結具１２により端具の苗収容部６ｂが中央部の苗収容部６ａに連結固定されるものであるから、引用発明１の「端部苗収容部６ｂ及びその裏面のフレーム１１」及び「中央部苗収容部６ａ及びその裏面のフレーム１０」のそれぞれは、本件発明１の「苗供給装置の一部」及び「後に残る部分の苗供給装置」に相当するといえる。
　そうしてみると、両者は「苗植付装置に供給する苗を前後に傾斜した状態で受ける底板を有する苗タンクを備えて苗植機体に対しその上方で横方向に往復移動する苗供給装置を備えた苗植装置を設けた苗植機において、苗植機体に対して横方向に往復移動する苗供給装置の前記底板を含む一部を着脱自在に設け、該着脱可能な苗供給装置の一部とそれが取り外された後に残る部分の苗供給装置との両者に、前者の部分が後者の部分に対して位置決めされて取付けられるようにする位置決め手段と、前者の部分を後者の部分に固定及び固定解除する固定手段とを設けた苗植機」である点で構成が一致し、次の点で両者の構成が相違する。
［
相違点１］
　つぎに、上記［相違点１］について検討する。
　本件発明の前記［相違点１］に係る構成は、前記甲第２号証にも記載されてなく、示唆されてもいない。しかも、前記［相違点１］に係る構成は、自明のものとも、また本件特許出願当時の周知技術であるということもできない。そして、本件発明は、前記構成により特許明細書に記載の効果を奏するものと認められる。
　
（ｂ）甲第２号証に対して
　本件発明と、当審が通知した取消理由に引用刊行物２として引用した甲第２号証に記載の発明（これを、以下「引用発明２」という。）とを比較・対比すると、前述の引用発明１の場合と同様であり、両者は、少なくとも前記した［相違点１］の点で両者の構成が相違する。
　そして、本件発明の上記［相違点１］に係る構成は、上記「（ａ）甲第１号証に対して」欄に前述のとおり、甲第１号証及び甲第２号証に記載がなく、また、示唆されてもなく、しかも、自明のものとも、また本件特許出願当時の周知技術であるということもできない。
　
（ｃ）まとめ
　そうしてみると、本件発明は、特許異議申立人が主張する上記甲第１号証又は上記甲第２号証に記載の発明であるということができないばかりでなく、特許異議申立人が提出した上記甲第１号証及び甲第２号証にそれぞれ記載された発明に基いて当業者が容易に発明をすることができたものとすることもできない。
　
３．むすび
　以上のとおりであるから、特許異議の申立ての理由によっては本件発明についての特許を取り消すことはできない。
　また、他に本件発明についての特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１５年１月２９日（２００３．１．２９）
【訂正の要旨】
▲１▼訂正事項ａ
　特許明細書の特許請求の範囲の請求項１の記載を、
『苗植付装置に供給する苗を前後に傾斜した状態で受ける底板３２を有する苗タンク７を備えて苗植機体９に対しその上方で横方向に往復移動する苗供給装置を備えた苗植装置８を設けた苗植機において、苗植機体９に対して横方向に往復移動する苗供給装置の前記底板３２を含む一部を着脱自在に設け、該着脱可能な苗供給装置の一部とそれが取り外された後に残る部分の苗供給装置との両者に、前者の部分が後者の部分に対して位置決めされて取付けられるようにする位置決め手段２５，２６と、前者の部分を後者の部分に固定及び固定解除する固定手段２７，２８とを設け
ると共に、該位置決め手段２５，２６を苗供給装置側面視で搬送装置３の繰出ベルト１５を上下方向で挟むように該繰出ベルト１５の上方位置と下方位置とに設け
と訂正する。
▲２▼訂正事項ｂ
　特許明細書の段落０００４の記載を、
『　【課題を解決するための手段】
　この発明は、上記課題を解決するために、苗植付装置に供給する苗を前後に傾斜した状態で受ける底板３２を有する苗タンク７を備えて苗植機体９に対しその上方で横方向に往復移動する苗供給装置を備えた苗植装置８を設けた苗植機において、苗植機体９に対して横方向に往復移動する苗供給装置の前記底板３２を含む一部を着脱自在に設け、該着脱可能な苗供給装置の一部とそれが取り外された後に残る部分の苗供給装置との両者に、前者の部分が後者の部分に対して位置決めされて取付けられるようにする位置決め手段２５，２６と、前者の部分を後者の部分に固定及び固定解除する固定手段２７，２８とを設け
ると共に、該位置決め手段２５，２６を苗供給装置側面視で搬送装置３の繰出ベルト１５を上下方向で挟むように該繰出ベルト１５の上方位置と下方位置とに設け
と訂正する。
（５４）【発明の名称】
苗植機
（５７）【特許請求の範囲】
　【請求項１】　苗植付装置に供給する苗を前後に傾斜した状態で受ける底板３２を有する苗タンク７を備えて苗植機体９に対しその上方で横方向に往復移動する苗供給装置を備えた苗植装置８を設けた苗植機において、苗植機体９に対して横方向に往復移動する苗供給装置の前記底板３２を含む一部を着脱自在に設け、該着脱可能な苗供給装置の一部とそれが取り外された後に残る部分の苗供給装置との両者に、前者の部分が後者の部分に対して位置決めされて取付けられるようにする位置決め手段２５，２６と、前者の部分を後者の部分に固定及び固定解除する固定手段２７，２８とを設け
ると共に、該位置決め手段２５，２６を苗供給装置側面視で搬送装置３の繰出ベルト１５を上下方向で挟むように該繰出ベルト１５の上方位置と下方位置とに設け
【発明の詳細な説明】
　【０００１】
　【産業上の利用分野】
　この発明は、苗植機に関するものである。
　【０００２】
　【従来の技術】
　従来、田植機等の苗植機では、苗植付装置に供給する苗を前後に傾斜した状態で受ける底板を有する苗タンクを備えて苗植機体に対しその上方で横方向に往復移動する苗供給装置を備えていた。
　【０００３】
　【発明が解決しようとする課題】
　上記従来の苗植機は、苗植機体等が配置されている苗植装置の下部は、その上方を苗供給装置の前後に傾斜する苗タンクの底板が覆うので、メンテナンスが行いにくかった。そこで、この発明は、苗植装置の下部のメンテナンスをできるだけやりやすくすることを課題とする。
　【０００４】
　【課題を解決するための手段】
　この発明は、上記課題を解決するために、苗植付装置に供給する苗を前後に傾斜した状態で受ける底板３２を有する苗タンク７を備えて苗植機体９に対しその上方で横方向に往復移動する苗供給装置を備えた苗植装置８を設けた苗植機において、苗植機体９に対して横方向に往復移動する苗供給装置の前記底板３２を含む一部を着脱自在に設け、該着脱可能な苗供給装置の一部とそれが取り外された後に残る部分の苗供給装置との両者に、前者の部分が後者の部分に対して位置決めされて取付けられるようにする位置決め手段２５，２６と、前者の部分を後者の部分に固定及び固定解除する固定手段２７，２８とを設け
ると共に、該位置決め手段２５，２６を苗供給装置側面視で搬送装置３の繰出ベルト１５を上下方向で挟むように該繰出ベルト１５の上方位置と下方位置とに設け
　【０００５】
　【作用】
　この苗植機は、苗植機体９に対して横方向に往復移動する苗供給装置の苗を受ける底板３２を含む一部は、固定手段２７，２８による固定を解除して取外すと、その取り外された部分の下方にあった苗植装置の下部の上方が開放される。また、取り外された苗供給装置の一部を苗植装置に取付けるときには、位置決め手段２５，２６により位置決めされ、固定手段２７，２８により固定される。
　【０００６】
　【発明の効果】
　よって、この発明により、苗植装置の下部の上方を覆う苗供給装置の底板３２を含む一部を容易に取外すことができ、しかも、取り外した苗供給装置の一部を苗植装置に取付けるときには、位置決め手段２５，２６と固定具２７，２８によって適確な位置に確実且つ容易に取付けられるから、苗植装置の下部のメンテナンスが容易に行える。
　【０００７】
　【実施例】
　苗植装置８は、苗植機体９に、苗タンク７及び横移動枠４等からなる苗供給装置、この苗タンク７から供給される苗を分離挿植する苗植付具１を有した苗植付装置、及び、これらを支持して滑走しながら植付土壌面を均平にするフロート１０等から構成される。又、この苗植装置８は、乗用トラクタ乃至ハンドトラクタ等の車体の後部に連結されて推進される。
　【０００８】
　図例では、前記苗植機体９が、車輪１１の後部において、車体に対して昇降自在の平行リフトリンク１２の後端にローリング軸１３によってローリング自在に連結され、この苗植機体９内の伝動機構が車体側の動力取出軸１４によって連動され、該横移動枠４や苗植付具１等を連動する。
　【０００９】
　苗タンク７を着脱自在とする横移動枠４は、苗植付条間隔毎に区切られた突子付きの繰出ベルト１５を、前後のロール軸１６，１７間に張設して搬送装置３を有し、前端部は、側面視でＬ字形に形成した苗分離枠２を取付けた横レール１８に支持案内させ、又、後端部は、苗植機体９から正面視門形状に起立される支持枠１９のガイドロール２０に案内させる横レール２１を有する。これら横レール１８と２１との案内部は、横移動枠４の前後傾斜方向に沿って若干移動できる構成で、この横移動枠４と該苗分離枠２とを一体として前後移動させて、苗植付具１の作動軌跡との間隔を変更して苗の分離量を調節できる構成としている。
　【００１０】
　このような横移動枠４は、左右両側底部のアーム２２が、苗植機体９に対して横方向へほぼ苗植一条分の幅で往復移動する横移動棒２３のアーム２４先端部と係合して、一体的に横移動するように連動構成する。又、このアーム２２，２４の係合部は前後方向の長孔とこれに嵌合するピンとによる係合で、前記苗分離量の調節による横移動枠４の前後移動を吸収する構成としている。
　【００１１】
　前記各繰出ベルト１５のロール軸１７は、ばね２９で引張り側へ張圧している。又、このロール軸１７にはブレーキが設けられていて、ワイヤー３０をレバー３１で操作することによって、このロール軸１７の回転を止めると共に繰出ベルト１５の回転をも止めることができる。前側のロール軸１６には駆動部が設けられ、苗タンク７が左右方向端へ移動されたときのみ、苗植機体９の定位置において回転される駆動部と連動して一定量回転されるもので、これによって繰出ベルト１５を回転して、苗植付具１による分離幅分だけ苗の縦送りを行うものである。
　【００１２】
　横移動枠４の左右両側部には、前後二箇所に突子２５を形成し、苗タンク７の左右両側部にはこの突子２５に嵌合する係止孔２６を設け、横移動枠４上に苗タンクを重合することによって、これら突子２５と係止孔２６との係合によって位置決めが行われる。２７は締付固定具で、横移動枠４のフック２８との間を締付けて固定できるように苗タンク７の側面に死点越え回動しうる構成としている。この苗タンク７は、前記各繰出ベルト１５と重合する部分を底孔６として開放し、余りの部分は苗の土付部を受ける底板３２を有し、各苗植条間隔毎に仕切壁部３３を形成し、前後端部は開放して、この前端部の苗送出口５部は、前記苗分離枠２に沿って横方向へ摺動しうる構成である。３４は苗タンク７の後部下面に設けたレールで、前記支持枠１９の上端部に設けたガイドロール３５に支持案内させている。３６は苗タンク７の繰出端部上に設けた苗姿勢調節具で、苗送出口５部における苗姿勢を苗植付具１によって分離保持し易いように維持するものである。
　【００１３】
　前記横移動枠４の前側において苗植機体９に対して固定の苗分離枠２には、苗分離口３７が設けられて、各苗植付具１が上方から下方へ通過しながら、所定本数の苗を分離保持して、土壌面へ挿植する構成としている。
　【００１４】
　この苗植付具１は、苗植機体９の後部に設けられ、公転軸３８の回りに回転される公転ケース３９の両端部に、自転軸４０回りに回転する自転ケース４１を設け、この自転ケース４１に苗植付具１を設け、この苗植付具１がどの回転位置においても一定の平行姿勢となるように、平行状の姿勢を維持して、ほぼ楕円軌跡を描いて作動する。又、苗植付具１は、苗分離する左右一対の苗分離針と、この苗分離針の後側で苗の土付部を受けると共に挿苗時にこの苗分離に対して下方へ作動して挿植する苗押出子とから構成されている。
　【００１５】
　前記レバー３１は、各苗植付条毎にロール軸１７を係止して回転を停止できるように切換操作できる構成であり、しかもワイヤー４２で各苗植付条毎の苗植付具１への伝動機構に連動して、このレバー３１の切換操作で、左側、又は右側の畦側に位置する苗植伝動を停止できる構成としている。
　【００１６】
　フロート１０は、苗植機体９に対して支軸４３回りに上下回動する支持アーム４４に対して揺動自在に設けられ、苗植装置８の重量を土壌面に支持する。
このフロート１０は左右複数基に配設され、ワイヤー４５を介して該支持アーム４４の角度を変更することにより、苗の植付深さを調節することができる。
　【００１７】
　図５において、上例と異なる点は、横移動枠４を前部の横レール１８と支持枠１９後部のガイドロール２０とでのみ支持し、苗タンク７はこの横移動枠４に対して着脱する構成である。
　【００１８】
　よって、以上より、この苗植機は、苗植付装置に供給する苗を前後に傾斜した状態で受ける底板３２を有する苗タンク７を備えて苗植機体９に対しその上方で横方向に往復移動する苗供給装置を備えた苗植装置８を設けた苗植機において、苗植機体９に対して横方向に往復移動する苗供給装置の前記底板３２を含む一部を着脱自在に設け、該着脱可能な苗供給装置の一部とそれが取り外された後に残る部分の苗供給装置との両者に、前者の部分が後者の部分に対して位置決めされて取付けられるようにする位置決め手段２５，２６と、前者の部分を後者の部分に固定及び固定解除する固定手段２７，２８とを設けたものであるから、苗植装置の下部の上方を覆う苗供給装置の底板３２を含む一部を容易に取外すことができ、しかも、取り外した苗供給装置の一部を苗植装置に取付けるときには、位置決め手段２５，２６と固定具２７，２８によって適確な位置に確実且つ容易に取付けられるから、苗植装置の下部のメンテナンスが容易に行える。
【図面の簡単な説明】
　【図１】苗供給装置の一部を取外した状態の苗植装置の側面図。
　【図２】苗供給装置の着脱可能な一部を取付けた状態の苗植装置の側面図。
　【図３】横移動枠部の平面図。
　【図４】苗タンク部の平面図。
　【図５】図１に示す状態の苗植装置にあって別構成のものを示す側面図。
　【符号の説明】
　７：苗タンク
　８：苗植装置
　９：苗植機体
　２５，２６：位置決め手段（突子と係止孔）
　２７，２８：固定手段（締付固定具とフック）
　３２：底板